(57)【要約】【課題】撮像装置の電源がオフの状態であっても、ユーザが装着された交換レンズの設定の確認を容易に行うことが可能な撮像装置を提供する。【解決手段】本発明に係る撮像装置は、交換レンズの装着部と、電源オフ状態であっても表示状態を維持可能な表示手段と、電源オフ状態で装着部に交換レンズが装着されたことに応じて、装着部に装着された交換レンズに関する情報を表示手段に表示するように制御する制御手段とを有する。【選択図】図３
2020034872.tif 000002
【特許請求の範囲】
【請求項１】
交換レンズの装着部と、
電源オフ状態であっても表示状態を維持可能な表示手段と、
電源オフ状態で前記装着部に交換レンズが装着されたことに応じて、前記装着部に装着された交換レンズに関する情報を前記表示手段に表示するように制御する制御手段と
を有することを特徴とする撮像装置。
【請求項２】
交換レンズの装着部と、
電源オフ状態であっても表示状態を維持可能な表示手段と、
電源オフ状態で特定の操作が行われたことに応じて、前記装着部に装着された交換レンズに関する情報を前記表示手段に表示するように制御する制御手段と
を有することを特徴とする撮像装置。
【請求項３】
前記撮像装置は、電源オフ状態で前記装着部に交換レンズが装着された場合、一時的な電源オン状態に遷移し、前記装着された交換レンズと通信を行って前記交換レンズに関する情報を取得し、取得した前記交換レンズに関する情報に基づく情報を前記表示手段に表示した後、自動的に電源オフ状態に遷移する、ことを特徴とする請求項１に記載の撮像装置。
【請求項４】
電源オフ状態であっても交換レンズが装着されたことを検知可能な検知手段を更に有する、ことを特徴とする請求項１又は２に記載の撮像装置。
【請求項５】
前記特定の操作は、前記撮像装置の撮影モードを変更する操作である、ことを特徴とする請求項２に記載の撮像装置。
【請求項６】
前記特定の操作は、特定の操作部材に対する操作であり、前記撮像装置は、前記特定の操作部材の設定位置に応じた撮影モードに設定される、ことを特徴とする請求項５に記載の撮像装置。
【請求項７】
前記特定の操作は、交換レンズを着脱する操作を含む、ことを特徴とする請求項２に記載の撮像装置。
【請求項８】
前記撮像装置はメインプロセッサを更に含み、
電源オン状態は、前記メインプロセッサが駆動している状態であり、
前記電源オフ状態は、前記メインプロセッサが駆動していない状態となり、前記メインプロセッサよりも消費電力の低いサブプロセッサが前記制御手段として駆動している状態である、ことを特徴とする請求項１から７のいずれか１項に記載の撮像装置。
【請求項９】
前記サブプロセッサのクロック周波数は、前記メインプロセッサのクロック周波数よりも低い、ことを特徴とする請求項８に記載の撮像装置。
【請求項１０】
前記制御手段は、前記メインプロセッサに、所定期間内の電源オン状態に遷移するように指示して、前記メインプロセッサが取得した前記交換レンズに関する情報に基づく情報を前記表示手段に表示するように制御し、
前記メインプロセッサは、所定期間内の電源オン状態で起動すると、装着された交換レンズと通信を行って前記交換レンズに関する情報を取得し、自動的に電源オフ状態となる、ことを特徴とする請求項８に記載の撮像装置。
【請求項１１】
前記制御手段は、前記交換レンズに関する情報として、前記装着された交換レンズが使用可能である場合には、前記装着された交換レンズの設定情報を表示するように制御し、前記装着された交換レンズが使用不可能である場合には、前記装着された交換レンズが使用不可能である旨を表示するように制御する、ことを特徴とする請求項１から１０のいずれか１項に記載の撮像装置。
【請求項１２】
前記装着された交換レンズの設定情報は、交換レンズのフォーカスモード設定、交換レンズの手振れ補正設定、交換レンズに搭載された操作部材の機能設定のうち少なくとも１つを含む、ことを特徴とする請求項１１に記載の撮像装置。
【請求項１３】
前記装着部に、フォーカスモードの切り替えスイッチを備えない交換レンズ、あるいは手振れ補正の切り替えスイッチを備えない交換レンズが装着された場合、当該交換レンズに係るフォーカスモード設定又は手振れ補正設定は前記撮像装置の側から切り替え可能である、ことを特徴とする請求項１２に記載の撮像装置。
【請求項１４】
前記装着された交換レンズが使用不可能である旨の表示は、前記装着された交換レンズのファームウェアのアップデートを要することを示す内容を含む、ことを特徴とする請求項１１に記載の撮像装置。
【請求項１５】
前記制御手段は、前記交換レンズに関する情報を前記表示手段に表示している電源オフ状態において前記装着された交換レンズが外された場合、前記表示手段の表示状態を、前記交換レンズに関する情報を表示する前の表示状態に戻すように制御する、ことを特徴とする請求項１から１４のいずれか１項に記載の撮像装置。
【請求項１６】
前記制御手段は、前記交換レンズに関する情報を前記表示手段に表示した後に、特定の時間が経過したことに応じて、前記表示手段の表示状態を、前記交換レンズに関する情報を表示する前の表示状態に戻すように制御する、ことを特徴とする請求項１から１４のいずれか１項に記載の撮像装置。
【請求項１７】
前記特定の時間はユーザが設定可能である、ことを特徴とする請求項１６に記載の撮像装置。
【請求項１８】
前記制御手段は、前記交換レンズに関する情報の表示内容に応じて、前記特定の時間の設定を切り替えるよう制御し、前記表示内容が前記装着された交換レンズが使用不可能である旨を示す場合の表示時間が、前記表示内容が前記装着された交換レンズが使用可能であることを示す場合の表示時間よりも長くなるように制御する、ことを特徴とする請求項１６に記載の撮像装置。
【請求項１９】
前記制御手段は、前記交換レンズに関する情報の表示内容が、前記装着された交換レンズが使用不可能である場合に、前記装着された交換レンズが前記撮像装置から外されるまで前記装着された交換レンズに関する情報の表示を前記表示手段に表示したままにする、ことを特徴とする請求項１６に記載の撮像装置。
【請求項２０】
前記表示手段は、前記撮像装置の上面に配置されている、ことを特徴とする請求項１から１９のいずれか１項に記載の撮像装置。
【請求項２１】
交換レンズの装着部と、電源オフ状態であっても表示状態を維持可能な表示手段と、を有する撮像装置の制御方法であって、
制御手段が、電源オフ状態で前記装着部に交換レンズが装着されたことに応じて、前記装着部に装着された交換レンズに関する情報を前記表示手段に表示するように制御する制御工程
を有することを特徴とする撮像装置の制御方法。
【請求項２２】
交換レンズの装着部と、電源オフ状態であっても表示状態を維持可能な表示手段と、を有する撮像装置の制御方法であって、
制御手段が、電源オフ状態で特定の操作が行われたことに応じて、前記装着部に装着された交換レンズに関する情報を前記表示手段に表示するように制御する制御工程
を有することを特徴とする撮像装置の制御方法。
【請求項２３】
コンピュータを、請求項１から２０のいずれか１項に記載された撮像装置の各手段として機能させるためのプログラム。
【請求項２４】
コンピュータを、請求項１から２０のいずれか１項に記載された撮像装置の各手段として機能させるためのプログラムを格納したコンピュータが読み取り可能な記憶媒体。
【発明の詳細な説明】
【技術分野】
【０００１】
本発明は、撮像装置、その制御方法、プログラム並びに記憶媒体に関する。
【背景技術】
【０００２】
撮像装置の交換レンズには、物理スイッチとしてのフォーカスモード切り替えスイッチや手振れ補正設定切替スイッチを持たず、撮像装置において対応する設定値を設定するものが知られている。このような交換レンズを装着している場合、当該交換レンズの設定の確認は撮像装置の表示部を介して行うことになる。
【０００３】
特許文献１では、光学系と撮像系がユニット化されたレンズユニットにおいて、カメラの本体ユニットが装着されたレンズユニットの能力情報を取得して、装着されたレンズユニットに関する情報を本体ユニットの表示部に表示する技術を開示している。
【先行技術文献】
【特許文献】
【０００４】
【特許文献１】特開２０１１−１０１３０３号公報
【発明の概要】
【発明が解決しようとする課題】
【０００５】
ところで、撮像装置の中には、電源オフ中にシャッター幕などで撮像素子を保護する等により、交換レンズを着脱する作業を撮像装置の電源オフ中に行うものがある。撮像装置の電源オフ中にレンズ交換を行う場合、装着したレンズユニットに関する設定を確認するためにわざわざ撮像装置の電源をオンにしなければならず、設定の確認に手間がかかってしまう。
【０００６】
本発明は、上記課題に鑑みてなされ、その目的は、撮像装置の電源がオフの状態であっても、ユーザが装着された交換レンズの設定の確認を容易に行うことが可能な技術を実現することである。
【課題を解決するための手段】
【０００７】
この課題を解決するため、例えば本発明の撮像装置は以下の構成を備える。すなわち、交換レンズの装着部と、電源オフ状態であっても表示状態を維持可能な表示手段と、電源オフ状態で前記装着部に交換レンズが装着されたことに応じて、前記装着部に装着された交換レンズに関する情報を前記表示手段に表示するように制御する制御手段とを有することを特徴とする。
【発明の効果】
【０００８】
本発明によれば、撮像装置の電源がオフの状態であっても、ユーザが装着された交換レンズの設定の確認を容易に行うことが可能になる。
【図面の簡単な説明】
【０００９】
【図１】本実施形態における撮像装置の一例としてのデジタルカメラの機能構成例を示すブロック図
【図２】本実施形態における特定の操作が行われた場合の一連の動作を示すフローチャート
【図３】本実施形態におけるレンズ情報表示処理に係る一連の動作を示すフローチャート
【図４】本実施形態におけるサブＣＰＵによって実行される表示制御処理の一連の動作を示すフローチャート
【図５】本実施形態に係る電源ＯＮ表示の一例を示す図
【図６】本実施形態に係る電源ＯＦＦ表示の一例を示す図
【図７】本実施形態に係るレンズ設定情報の表示の一例を示す図
【図８】本実施形態に係るレンズ使用不可表示の一例を示す図
【発明を実施するための形態】
【００１０】
以下、本発明の例示的な実施形態について、図面を参照して詳細に説明する。なお、以下では撮像装置の一例として、レンズを着脱可能なデジタルカメラを用いる例を説明する。図１は、本実施形態に係るデジタルカメラ２００の機能構成例を示している。
【００１１】
撮像部２３１は、交換レンズ２９１から入射される光学像を電気信号に変換するＣＣＤやＣＭＯＳ素子等で構成される撮像素子と、撮像素子からのアナログ信号をデジタル信号に変換するＡ／Ｄ変換器とを含む。
【００１２】
サブＣＰＵ２４０は、後述するメインＣＰＵ２５０に対する従たるサブプロセッサであり、デジタルカメラ２００が電源オフの状態となってメインＣＰＵ２５０がオフの状態となっても動作可能なように電力が供給される制御部である。サブＣＰＵ２４０は、メインＣＰＵ２５０よりも消費電力が低く、クロック周波数が低い。サブＣＰＵ２４０は、不揮発性メモリ２４２に格納されたプログラムをシステムメモリ２４１に展開、実行することにより、後述する一連の動作を実行する。サブＣＰＵ２４０は、シャッタースイッチ２６５や操作部２６３、或いはレンズ検知部２７１からの信号を入力して処理したり、電源制御部２８４を制御したりする。また、サブＣＰＵ２４０はシステムメモリ２４１、表示部２６４を制御することにより表示制御も行う。
【００１３】
システムメモリ２４１には、例えばＲＡＭが用いられ、サブＣＰＵ２４０とメインＣＰＵ２５０の動作用の定数、変数、不揮発性メモリ２４２から読み出したプログラム等が展開される。なお、システムメモリ２４１は、サブＣＰＵ２４０とメインＣＰＵ２５０とのそれぞれに対して１つずつ設けられてもよい。
【００１４】
不揮発性メモリ２４２は、電気的に消去・記録可能な記憶媒体であり、例えばＥＥＰＲＯＭ等が用いられる。不揮発性メモリ２４２には、サブＣＰＵ２４０とメインＣＰＵ２５０の動作用の定数、プログラム等が記憶される。ここでいう、プログラムとは、本実施形態にて後述する各種フローチャートを実行するためのプログラムのことである。
【００１５】
メインＣＰＵ２５０は、主たるプロセッサ（メインプロセッサ）である。メインＣＰＵ２５０は、サブＣＰＵ２４０と通信を行いながら、レリーズ処理部２８１、測距処理部２８２、測光処理部２８３、レンズ制御部２７２、等を制御して、デジタルカメラ２００全体の機能を実現する。メインＣＰＵ２５０は、不揮発性メモリ２４２に格納されたプログラムをシステムメモリ２４１に展開、実行することにより、後述する一連の動作を実行する。メインＣＰＵ２５０は、デジタルカメラ２００が電源オンの状態ではメインＣＰＵ２５０が駆動している状態である。一方、デジタルカメラ２００が電源オフの状態では、メインＣＰＵ２５０はオフの状態であり、サブＣＰＵ２４０が駆動している状態となる。
【００１６】
操作部２６３は、サブＣＰＵ２４０及びメインＣＰＵ２５０によって実行される各種動作に対する指示を入力する手段であり、スイッチやダイヤル等の操作部材、視線検知によるポインティング、音声認識装置等の単数或いは複数の組み合わせで構成される。操作部２６３は、各種ボタンを含み、例えばメニューボタン、セットボタン、消去ボタン、ＩＳＯ感度選択ボタン、単写／連写／セルフタイマ切替ボタン、メニュー移動＋（プラス）ボタン、メニュー移動−（マイナス）ボタンを含む。また、操作部２６３は、例えば再生画像移動＋（プラス）ボタン、再生画像−（マイナス）ボタン、撮影した画像を不揮発性メモリ２４２から読み出して再生するための再生ボタンを含んでよい。更に、操作部２６３は、モードダイヤルスイッチ（モードダイヤルＳｗ）やモードレバーなど、復帰位置に復帰せずに操作部材の設定位置に応じたモードが設定される特定の操作部材や、電源スイッチ（電源Ｓｗ）等を含んでよい。ダイヤルモードＳｗは、自動撮影モード・プログラム撮影モード・シャッター速度優先撮影モード・絞り優先撮影モード・マニュアル撮影モード等の機能撮影モードを切り替えて設定可能なスイッチである。また、電源Ｓｗは、電源オン／オフを切り替えるスイッチである。
【００１７】
表示部２６４は、例えばＬＣＤ等の表示パネルを有し、サブＣＰＵ２４０によって制御される。表示部２６４は、デジタルカメラ２００が電源オフ状態であっても表示状態を維持可能なように構成されている。表示部２６４は、例えば、デジタルカメラ２００の上面に配置されている。表示部２７５は、デジタルカメラ２００が電源オフ状態である場合には表示状態がオフになるように構成されている。表示部２７５は、例えば、デジタルカメラ２００の背面に配置されている。表示部２６４及び２７５では、シャッタースピード、絞り値、撮影モード等の各種設定を行うための設定情報が表示され、操作部２６３と組み合わせることで、ユーザは所望の設定を行うことができる。
【００１８】
シャッタースイッチ２６５は、不図示の第１シャッタースイッチと不図示の第２シャッタースイッチとを含む。第１シャッタースイッチは、シャッタースイッチ２６５の操作途中、いわゆる半押し（撮影準備指示）でＯＮとなり第１シャッタースイッチ信号２６１（ＳＷ１）を発生する。第１シャッタースイッチ信号のＯＮがメインＣＰＵ２５０に通知されると、メインＣＰＵ２５０は、ＡＦ（オートフォーカス）処理、ＡＥ（自動露出）処理、ＡＷＢ（オートホワイトバランス）処理、ＥＦ（フラッシュプリ発光）処理等の動作を開始する。第２シャッタースイッチは、シャッタースイッチ２６５の操作完了、いわゆる全押し（撮影指示）でＯＮとなり、第２シャッタースイッチ信号２６２（ＳＷ２）を発生する。メインＣＰＵ２５０は、第２シャッタースイッチ信号が通知されると、撮像部２３１から読み出した信号を処理した後、その処理で得られた撮像画像を不揮発性メモリ２４２に画像データとして書き込むまでの一連の撮影処理の動作を開始する。
【００１９】
レンズ検知部２７１は、レンズ装着部２９０に交換レンズ２９１が装着されたこと、或いは脱着されたことを検知可能なセンサを含む。レンズ制御部２７２は、レンズ装着部２９０が有するインタフェース（接点ともいう）を通じて交換レンズ２９１と通信を行い、交換レンズ２９１の有する不図示のフォーカスレンズやズームレンズのレンズ位置を制御する。表示部２７５は、例えばＬＣＤ等の表示パネルを有し、メインＣＰＵ２５０によって制御される。
【００２０】
交換レンズ２９１が着脱されると、レンズ検知部２７１はレンズの接続状態を検知し、そのレンズ接続状態をサブＣＰＵ２４０に通知する。サブＣＰＵ２４０は更にメインＣＰＵ２５０にレンズ接続状態を通知する。レンズ検知部２７１は、デジタルカメラ２００が電源オフの状態であっても電力が供給されており、交換レンズ２９１の装着或いは脱着を検出することができる。
【００２１】
交換レンズ２９１が装着されると、レンズ制御部２７２は、交換レンズ２９１との間で通信を行って交換レンズ２９１に関する情報を取得し、また、デジタルカメラ２００に関する情報を交換レンズ２９１に送信する。
【００２２】
デジタルカメラ２００と交換レンズ２９１との間でやりとりされる情報としては、交換レンズ２９１に備えられている操作部材（例えば、リング部材、ボタン部材、スライドスイッチ部材、等）の操作情報、レンズ種類などのレンズ情報が挙げられる。また、フォーカスモード情報などの設定情報、合焦処理やカメラ状態によってレンズの位置合わせを行うためのレンズ駆動処理、レンズの収差補正等を行うためのレンズ光学補正情報等を含んでよい。
【００２３】
レリーズ処理部２８１は、撮像部２３１から読み出した信号に対し、例えば所定の画素補間や色変換処理、符号化処理等を行う。測距処理部２８２は、ＡＦ処理を行うための機能を有し、交換レンズ２９１より入射した光線を用いて合焦処理を行う。
【００２４】
測光処理部２８３は、ＡＥ処理を行うための機能を有し、交換レンズ２９１より入射した光線を用いて、露出処理を行い、露出条件（絞り、シャッタースピード）の設定を行う。
【００２５】
電源制御部２８４は、電池検出回路、ＤＣ−ＤＣコンバータ、通電するブロックを切り替えるスイッチ回路を含む。電源制御部２８４は、電池の接続の有無、電池の種類、電池残量を検出して、検出結果及びサブＣＰＵ２４０の指示に基づいてＤＣ−ＤＣコンバータを制御し、必要な電圧を必要な期間、各部へ供給する。
【００２６】
レンズ装着部２９０は、交換レンズ２９１を着脱可能に取り付ける装着部材である。レンズ装着部２９０は、デジタルカメラ２００と交換レンズ２９１とが通信を行うための不図示のインタフェースを有する。
【００２７】
交換レンズ２９１は、レンズ装着部２９０を介してデジタルカメラ２００と着脱可能に取り付けられ、被写体像をデジタルカメラ２００の撮像部２３１に導くための撮像レンズ２９２や不図示の絞りを含む。また、交換レンズ２９１は、レンズ装着部２９０が有するインタフェースを通じてデジタルカメラ２００のレンズ制御部２７２と通信し、レンズ制御部２７２の指示に応じて、撮像レンズ２９２のフォーカスレンズやズームレンズのレンズ位置や絞り径を制御する。撮像レンズ２９２は、撮影光学系を構成し、ズームレンズ、フォーカスレンズを含む。
【００２８】
交換レンズ２９１は、その筐体にフォーカスモード（ＡＦ／ＭＦ）の切り替えやブレ補正のオン／オフの切り替えを行うための操作部材（例えばスイッチ）を備える。交換レンズ２９１は、レンズ装着部２９０が有するインタフェースを通じてレンズ制御部２７２に設定情報を通知する。なお、交換レンズ２９１は、ＡＦ／ＭＦの切り替えやブレ補正のオン／オフの切り替えスイッチを備えないものであってもよい。この場合、ＡＦ／ＭＦの設定やブレ補正の設定は、レンズ制御部２７２を介して、デジタルカメラ２００の側から切り替えることが可能である。
【００２９】
（特定の操作が行われた場合の一連の動作）
次に、図２を参照して、本実施形態に係る特定の操作が行われた場合の一連の動作について説明する。なお、この一連の動作は、メインＣＰＵ２５０が不揮発性メモリ２４２に格納されたプログラムをシステムメモリ２４１に展開、実行することによって実現される。
【００３０】
Ｓ２０１では、メインＣＰＵ２５０は、サブＣＰＵ２４０からの通知があるかどうかを判定する。メインＣＰＵ２５０は、サブＣＰＵからの通知があると判定した場合にはＳ２０５に進み、そうでない場合にはＳ２０１に戻って再びサブＣＰＵ２４０からの通知を判定する。
【００３１】
Ｓ２０５では、メインＣＰＵ２５０は、サブＣＰＵ２４０からの通知に対して、サブＣＰＵ２４０からの通知内容の種別を判定する。メインＣＰＵ２５０は、通知内容の種別が電源ＯＮ／ＯＦＦ通知を示す場合にはＳ２０８に進み、通知内容の種別がレンズ処理指示の通知を示す場合にはＳ２３１に進む。メインＣＰＵ２５０はまた、通知内容の種別がモードダイヤルスイッチ通知を示す場合にはＳ２４０に進む。なお、サブＣＰＵ２４０からの通知内容の種別については後述する。
【００３２】
Ｓ２０８では、メインＣＰＵ２５０は、通知内容が電源ＯＮに関するか否かについて判定する。メインＣＰＵ２５０は、通知内容が電源ＯＮに関すると判定した場合Ｓ２１１に進み、そうでない場合（すなわち電源ＯＦＦに関する）にはＳ２２１に進む。
【００３３】
Ｓ２１１では、メインＣＰＵ２５０は、電源ＯＮ処理を行う。電源ＯＮ処理は、例えば、デジタルカメラ２００の起動処理であり、メインＣＰＵが管理する各種デバイスの開始処理、撮影設定値の読み出し処理等が含まれる。Ｓ２１５では、メインＣＰＵ２５０は、サブＣＰＵ２４０に対して電源ＯＮ表示要求を行う。表示内容のうち、メインＣＰＵ２５０が管理する情報に関する内容があれば、メインＣＰＵ２５０はその内容を合わせてサブＣＰＵ２４０に通知する。Ｓ２１８では、メインＣＰＵ２５０は、デジタルカメラ２００が電源ＯＮ状態に遷移したことを例えばシステムメモリ２４１に記憶させて、本一連の動作を終了する。
【００３４】
Ｓ２２１では、メインＣＰＵ２５０は、電源ＯＦＦ処理を行う。電源ＯＦＦ処理は、例えば、デジタルカメラ２００のシャットダウン処理であり、メインＣＰＵ２５０が管理する各種デバイスの終了処理、撮影設定値の退避処理等を含む。
【００３５】
Ｓ２２５では、メインＣＰＵ２５０は、サブＣＰＵ２４０に対して電源ＯＦＦ表示要求を行う。メインＣＰＵ２５０はまた、電源ＯＮ表示要求時と同様に、表示内容のうち、メインＣＰＵ２５０が管理する情報に関する内容があれば、その内容も含めてサブＣＰＵ２４０に通知する。Ｓ２２８では、メインＣＰＵ２５０は、デジタルカメラ２００が電源ＯＦＦ状態に遷移したことをシステムメモリ２４１に記憶させて、本一連の動作を終了する。
【００３６】
次に、Ｓ２０５において判定した通知内容の種別がレンズ処理指示の通知であった場合について説明する。Ｓ２３１では、メインＣＰＵ２５０は、交換レンズ２９１からレンズ情報を取得する。例えば、メインＣＰＵ２５０は、レンズ制御部２７２を介してデジタルカメラ２００と交換レンズ２９１の間で通信し、交換レンズの有無及び交換レンズのレンズ情報の取得、及びメインＣＰＵ２５０で保持するレンズ設定の通知などを行う。
【００３７】
Ｓ２３５では、メインＣＰＵ２５０は、サブＣＰＵ２４０に対してレンズ情報表示要求を通知し、その後、本一連の動作を終了する（レンズ情報表示要求に係る処理については、図３を参照して後述する）。このとき、メインＣＰＵ２５０は、レンズ情報表示要求において、交換レンズの有無及び交換レンズのレンズ情報をサブＣＰＵ２４０に通知する。このように、サブＣＰＵ２４０からのレンズ処理指示の通知をきっかけとしてレンズ情報表示要求を行うため、交換レンズ２９１を装着した状態でデジタルカメラ２００を電源オフ状態にしても、レンズ設定情報の表示が行われないようにすることができる。また、電源ＯＦＦ中にモードダイヤルスイッチ操作を行った場合にもレンズ情報表示を行う。これにより、撮影モード毎にＡＦ／ＭＦや手振れ補正（以下ＩＳともいう）などのレンズ駆動動作の設定や、レンズに備えられている操作部材への割り当て機能が変更された場合に、表示部２６４にてその情報を確認することができるようになる。
【００３８】
次に、Ｓ２０５において判定した通知内容の種別が、モードダイヤル通知であった場合について説明する。Ｓ２４０では、モードダイヤルスイッチ通知に従って、撮影モードの変更処理を行う。その後、Ｓ２３１、Ｓ２３５では各処理を行い、本制御フローを終了する。
【００３９】
（レンズ情報表示要求に係る一連の動作）
次に、図３を参照して、レンズ情報表示要求に係る一連の動作について説明する。なお、この一連の動作は、図２に示した動作と同様、メインＣＰＵ２５０が不揮発性メモリ２４２に格納されたプログラムをシステムメモリ２４１に展開、実行することによって実現される。
【００４０】
Ｓ３０１では、メインＣＰＵ２５０は、デジタルカメラ２００が電源ＯＮ状態であるかを判定する。メインＣＰＵ２５０は、電源ＯＮであると判定した場合、本処理を終了する。一方、メインＣＰＵ２５０は、デジタルカメラ２００が電源ＯＦＦ状態であると判定した場合、Ｓ３１０に進む。
【００４１】
Ｓ３１０では、メインＣＰＵ２５０は、レンズ制御部２７２を介して取得したレンズ有無情報を用いて、交換レンズ２９１が有るか否かを判定する。メインＣＰＵ２５０は、交換レンズ２９１が有ると判定した場合はＳ３２０に進み、そうでない（すなわち交換レンズ２９１が無い）と判定した場合にはＳ３４０に進む。
【００４２】
Ｓ３４０では、メインＣＰＵ２５０は、サブＣＰＵ２４０に対して電源ＯＦＦ表示要求を行う。メインＣＰＵ２５０は、その後、呼び出し元のＳ２３５に戻る。一方、Ｓ３２０では、メインＣＰＵ２５０は、装着された交換レンズ２９１が使用可能レンズか否かを判定する。メインＣＰＵ２５０は、装着された交換レンズ２９１が使用可能レンズであると判定した場合、Ｓ３２５に進み、そうでない（使用不可能なレンズである）と判定した場合には、Ｓ３３０に進む。
【００４３】
Ｓ３２５では、メインＣＰＵ２５０は、レンズ制御部２７２を介して取得したレンズ情報をレンズ情報表示要求に含めて、サブＣＰＵ２４０に対してレンズ情報表示要求を行う。メインＣＰＵ２５０は、その後、呼び出し元のＳ２３５に戻る。一方、Ｓ３３０では、メインＣＰＵ２５０は、サブＣＰＵ２４０に対してレンズ使用不可表示要求を行い、その後、呼び出し元のＳ２３５に戻る。
【００４４】
（サブＣＰＵ２４０による表示制御処理に係る一連の動作）
次に、図４を参照して、本実施形態におけるサブＣＰＵ２４０による表示制御処理に係る一連の動作について説明する。
【００４５】
Ｓ４０１では、サブＣＰＵ２４０は割込みが入ったかを判定する。サブＣＰＵ２４０は、例えばサブＣＰＵ２４０が制御するデバイスからの割込み通知があった場合には、割込みがあったと判定してＳ４０５に進み、そうでない場合には再び４０１に戻る。
【００４６】
Ｓ４０５では、サブＣＰＵ２４０は、割込みの種別を判定する。サブＣＰＵ２４０は、割込みの種別が、操作部２６３やレンズ検知部２７１からの、ユーザの特定の操作によって発生する割込み（以下、Ｓｗ割込みと表す）である場合、Ｓ４１０に進む。一方、割込みの種別がメインＣＰＵ２５０からの表示要求であると判定した場合Ｓ４４０に進む。更に、後述する遷移タイマが満了したことによるものであると判定した場合、Ｓ４８０に進む。
【００４７】
Ｓ４１０では、サブＣＰＵ２４０は、割込み種別がＳｗ割込み（ユーザの特定の操作によって発生する割込み）であった場合、更にＳｗ割込みの種別を判定する。サブＣＰＵ２４０は、Ｓｗ割込みの種別が電源Ｓｗからの割込みであると判定した場合、Ｓ４１５に進む。一方、サブＣＰＵ２４０は、Ｓｗ割込みの種別がユーザの特定の操作部材に対する操作によるもの（例えばユーザがモードダイヤルスイッチを操作してモードダイヤルスイッチの位置に応じた撮影モードに設定する操作）であると判定した場合、Ｓ４３５に進む。更に、サブＣＰＵ２４０は、Ｓｗ割込みの種別が、レンズの着脱に係る操作であると判定した場合にはＳ４３０に進む。
【００４８】
Ｓ４１５では、サブＣＰＵ２４０は、電源Ｓｗの位置を判定し、電源Ｓｗの位置が電源ＯＮである場合、Ｓ４２０に進み、そうでない（電源ＯＦＦ）場合、Ｓ４２５に進む。Ｓ４２０では、サブＣＰＵ２４０は、メインＣＰＵ２５０に電源ＯＮを通知する。Ｓ４２５では、サブＣＰＵ２４０は、メインＣＰＵ２５０に電源ＯＦＦを通知する。
【００４９】
Ｓ４３０では、サブＣＰＵ２４０は、メインＣＰＵ２５０にレンズ処理指示を通知する。また、Ｓ４３５では、サブＣＰＵ２４０は、メインＣＰＵ２５０に、モードダイヤル通知を行う。なお、メインＣＰＵ２５０へのこれらの通知は、前述のＳ２０５で処理されるものである。このとき、レンズ処理指示（或いはモードダイヤル通知）が、メインＣＰＵ２５０を所定期間内の（すなわち一時的に）電源オン状態に遷移させ、交換レンズ２９１に関する情報を表示した後に電源オフ状態にする指示を含んでもよい。例えば、サブＣＰＵ２４０が、メインＣＰＵ２５０にレンズ処理指示を送信することにより、Ｓ２３１において、メインＣＰＵ２５０は所定期間内の（一時的な）電源オン状態で起動して、交換レンズ２９１からレンズ制御部２７２を介してレンズ情報を取得する。そして、Ｓ２３５において、メインＣＰＵ２５０はサブＣＰＵ２４０に取得した情報に基づいて表示部２６４に交換レンズ２９１に関する情報を表示させ、その後、自動的に電源オフ状態になる。
【００５０】
次に、割込みの種別がメインＣＰＵ２５０からの表示要求である場合について説明する。Ｓ４４０では、サブＣＰＵ２４０は、メインＣＰＵ２５０からの表示要求の種別を判定する。サブＣＰＵ２４０は、表示要求の種別が電源ＯＦＦ表示であると判定した場合、Ｓ４４５に進み、表示要求の種別が電源ＯＮ表示であると判定した場合、Ｓ４５０に進む。また、表示要求の種別がレンズ情報表示であると判定した場合、Ｓ４６０に進む。
【００５１】
Ｓ４４５では、サブＣＰＵ２４０は、表示部２６４に対して電源ＯＦＦ表示を行う。Ｓ４５０では、表示部２６４に対して電源ＯＮ表示を行う。Ｓ４６０では、サブＣＰＵ２４０は、レンズ情報表示の種別について更に判定する。サブＣＰＵ２４０は、レンズ情報表示の種別がレンズ情報表示であると判定した場合、Ｓ４６５に進み、レンズ情報表示の種別がレンズ使用不可表示であると判定した場合、Ｓ４７０に進む。
【００５２】
Ｓ４６５では、サブＣＰＵ２４０は、メインＣＰＵ２５０からの通知内容に従って、表示部２６４に対してレンズ設定情報を表示する。表示部２６４に表示されるレンズ設定情報については、後述する。また、Ｓ４６７では、サブＣＰＵ２４０は、第１の特定の時間（例えば時間Ａ）の遷移タイマを設定し、当該タイマを開始する。
【００５３】
Ｓ４７０では、サブＣＰＵ２４０は、表示部２６４に対して、レンズが使用不可能（単にレンズ使用不可ともいう）である旨の警告表示を行う。このように、サブＣＰＵ２４０は、交換レンズに関する情報として、レンズを使用可能である場合にはレンズ設定情報を表示し、レンズが使用不可能である場合にはレンズが使用不可能である旨を表示する。ユーザは、デジタルカメラ２００が電源オフの状態であっても交換したレンズが使用可能であるかを確認することができ、デジタルカメラ２００の起動後に初めてレンズが使えないことを知るような不都合を回避することができる。
【００５４】
Ｓ４７５では、第２の特定の時間（時間Ｂ）の遷移タイマを設定し、当該タイマを開始する。なお、時間Ａおよび時間Ｂの大小関係はＡ＜Ｂである（表示内容がレンズ使用不可である場合の表示時間が、レンズ使用可能である場合の表示時間より長い）。このように、サブＣＰＵ２４０は、装着された交換レンズ２９１に関する情報の表示内容に応じて、特定の時間の設定を切り替えるように制御している。このようにすることで、使用可能なレンズのレンズ情報表示と比較して、使用不可レンズ表示などのユーザに対する警告表示の表示時間を長くすることができる。なお、時間Ａおよび時間Ｂはユーザが操作部２６３を介してユーザが設定可能であってよい。更に、装着された交換レンズに関する情報の表示内容が、レンズ使用不可である場合には、交換レンズ２９１がデジタルカメラ２００から外されるまで装着されたレンズ設定情報の表示を表示部２６４に表示したままにしてもよい。このようにすれば、ユーザにレンズの取り外しを促すことができる。
【００５５】
更に、割込みの種別が遷移タイマ満了である場合について説明する。Ｓ４８０では、サブＣＰＵ２４０は、前述のＳ４６５およびＳ４７０で行った表示部２６４に対する表示内容を、電源ＯＦＦ表示に変更する。サブＣＰＵ２４０は、その後、本一連の動作を終了する。
【００５６】
Ｓ４８０に係る処理では、サブＣＰＵ２４０は、表示手段の表示状態を、情報を表示する前の表示状態に戻してもよい。すなわち、サブＣＰＵ２４０は、装着された交換レンズ２９１に関する情報を表示部２６４に表示した後に、特定の時間が経過した場合（すなわち遷移タイマ満了した後）に、自動的に表示部２６４の表示状態を、情報を表示する前の表示状態に戻してもよい。或いは、サブＣＰＵ２４０は、表示部２６４の表示状態を、交換レンズが外された状態に応じて、情報を表示する前の表示状態に戻してもよい。すなわち、サブＣＰＵ２４０は、装着された交換レンズ２９１に関する情報を表示している電源オフ状態で、交換レンズ２９１が外された場合に、表示部２６４の表示状態を、情報を表示する前の表示状態に戻してもよい。このようにすることで、デジタルカメラ２００の電源オフ中に交換レンズ２９１が外された場合、レンズ情報表示を行ってから遷移タイマの満了を待たずに元の電源オフ表示に戻すことができる。
【００５７】
（表示部２６４の表示例）
図５は、サブＣＰＵ２４０が表示部２６４に表示する電源ＯＮ表示の一例を示している。図５に示す電源ＯＮ表示の例では、撮影モード５０１やＴｖ値５０２、Ｆ値５０３、ＩＳＯ値５０４、電池残量５０５、Ｗｉｆｉ設定５０６、ＢＬＥ設定５０７など、デジタルカメラ２００の動作に関わる情報を表示する。なお、電源ＯＮ表示として表示される項目はこの例に限定されず、他のデジタルカメラ２００の動作に関わる情報を表示してもよい。
【００５８】
次に、図６を参照して、サブＣＰＵ２４０が表示部２６４に表示する電源ＯＦＦ表示の一例を説明する。図６に示す電源ＯＦＦ表示の例では、デジタルカメラ２００が電源ＯＦＦの状態であってもユーザが確認したいと考えられる情報を表示するようにしている。サブＣＰＵ２４０は、例えば、撮影モード５０１やＷｉｆｉ設定５０６、ＢＬＥ設定５０７の項目を表示部２６４に表示する。なお、電源ＯＦＦ表示として表示される項目はこの例に限定されず、他のデジタルカメラ２００の動作に関わる情報を表示してもよい。
【００５９】
更に、図７は、サブＣＰＵ２４０が表示部２６４に表示するレンズ設定情報の表示例を示している。図７に示すレンズ設定情報の表示例では、サブＣＰＵ２４０は、例えば、レンズ設定情報の表示として、装着された交換レンズのレンズ名称７０１、レンズのフォーカスモード設定状態７０５、レンズの手振れ補正設定状態７１０を表示する。或いは、レンズに搭載された不図示の操作部材（例えばレンズボタン）の機能設定７１５などを表示する。なお、レンズ設定情報として表示される項目は、この例に限定されず、装着された交換レンズの属性や設定に関する他の情報を表示してもよい。
【００６０】
また、図８は、サブＣＰＵ２４０が表示部２６４に表示するレンズ使用不可表示の一例を示している。図８に示すレンズ使用不可表示のように、サブＣＰＵ２４０は、交換レンズ２９１が使用できない旨を表示するとともに、ユーザがデジタルカメラ２００に用いるために必要な対処方法８０１を表示してもよい。例えば、図８の例では、レンズ使用不可の状況において、レンズのファームウェアのアップデートを要することを示すメッセージを表示している。或いは、レンズのファームウェアのアップデートに失敗したことを表示してもよく、当該失敗により更にレンズのファームウェアのアップデートを促してもよい。もちろん、表示内容は、交換レンズ２９１を使用できない状態であることを伝えるものであれば、この例示以外の内容を含んでよい。
【００６１】
以上説明したように、本実施形態では、デジタルカメラ２００の電源オフ状態で交換レンズが装着された（或いは特定の操作が行われた）ことに応じて、サブＣＰＵ２４０が交換レンズに関わる情報を表示部に表示するように制御する。このようにすることで、デジタルカメラ２００の電源がＯＦＦであってもユーザは交換レンズに関する情報を確認することが可能となる。換言すれば、撮像装置の電源がオフの状態であっても、ユーザは装着された交換レンズの設定の確認を容易に行うことが可能となる。
【００６２】
以上、本発明の好ましい実施形態について説明したが、本発明はこれらの実施形態に限定されず、その要旨の範囲内で種々の変形及び変更が可能である。
【００６３】
なお、メインＣＰＵ２５０又はサブＣＰＵ２４０が行うものとして説明した上述の各種制御は１つのハードウェアが行ってもよいし、複数のハードウェア（例えば、複数のプロセッサーや回路）が処理を分担することで、装置全体の制御を行ってもよい。
【００６４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６５】
また、上述した実施形態においては、本発明をデジタルカメラに適用した場合を例にして説明したが、これはこの例に限定されずレンズを着脱可能な機器であれば適用可能である。すなわち、本発明は監視カメラシステムや医療機器などに適用可能である。
【００６６】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００６７】
２４０…サブＣＰＵ、２５０…メインＣＰＵ、２６３…操作部、２６４…表示部、２９１…交換レンズ
【図１】
2020034872.tif 000003
【図２】
2020034872.tif 000004
【図３】
2020034872.tif 000005
【図４】
2020034872.tif 000006
【図５】
2020034872.tif 000007
【図６】
2020034872.tif 000008
【図７】
2020034872.tif 000009
【図８】
2020034872.tif 000010